(57)【要約】【課題】高齢者用のショッピングカートは外出や健康のための歩行やその時の休息に必要なものですが、雪のあるところの歩行には向きません。それを積雪地の使用にも適するようにすることです。【解決手段】カートの前輪６に子供用スキー５をはかせ、そして前輪６の間に車輪１を取付金具４によって取り付ける。手元のレバー２を握るとこの車輪１が地面に引き付けられスキーが２ｃｍほど持ち上がる。この事によって雪道やアスファルト路を自由に歩けるようにした。雪のない時期にはスキーを外せばよい。【選択図】  図１
0003104876.tif 000002
【実用新案登録請求の範囲】
【請求項１】
従来のショッピングカートの前輪の下に小型スキーを取り付けて雪路を押しやすくしたカート。
【請求項２】
従来のショッピングカートの前輪の間にもう１個の車輪を前輪よりも少し前に出る様に取り付け、この車輪を手元のレバーによって引き付けてスキーを少し浮かせることにより、アスファルト路を行く時に楽に押すことができるようにした事。
【考案の詳細な説明】
【０００１】
【考案が解決しようとする課題】
高齢者が雪のある冬の季節にカートで外出すると、車輪が雪や氷に邪魔されてうまく押すことができない問題点があった。
【０００２】
【課題を解決するための手段】
まず前輪６の下に短いスキー５を取り付けるが、このままでは途中で除雪してアスファルトが出ていたり横断歩道を渡る時等アスファルトにスキー５がつまずいて進みにくいので、前輪６の間に車輪１を前輪６よりも少し前に出る様に取付金具４によって取り付ける。この車輪１を、レバー２を引くことによって地面に引き寄せてスキー５を２〜３ｃｍ浮き上がらせると容易に前進することができる。
【０００３】
【考案の効果】
冬期高齢者が一寸用事を足したり運動をしたりすることが容易になった。冬期以外にはスキーを外せばよい。
【図面の簡単な説明】
【図１】スキー５と車輪１を取り付けたカートを、正面斜め上方から見た図。
【図２】図１に於いて破線の○で囲まれた部分の等角投影図。
【符号の説明】
１  新しく取り付けた車輪
２  車輪１を引き付けるレバー
３  レバー２と取付金具４をつなぐワイヤー
４  車輪１の取付金具
５  子供用スキー
６  カートの前輪
７  椅子座布団
【図１】
0003104876.tif 000003
【図２】
0003104876.tif 000004
【手続補正書】
【提出日】平成15年7月3日(2003.7.3)
【手続補正２】
【補正対象書類名】明細書
【補正対象項目名】実用新案登録請求の範囲
【補正方法】変更
【補正の内容】
【実用新案登録請求の範囲】
【請求項１】
ショッピングカートの前輪の下に小型スキーをスキーに付いているバンドで前輪に取り付けて雪路を押しやすくしたショッピングカート
0003104876.tif 000005
0003104876.tif 000006
【手続補正書】
【提出日】平成16年1月16日(2004.1.16)
【手続補正１】
【補正対象書類名】明細書
【補正対象項目名】実用新案登録請求の範囲
【補正方法】変更
【補正の内容】
【実用新案登録請求の範囲】
【請求項１】
ショッピングカートの前輪の下に小型スキーをスキーに付いているバンドで前輪に取り付けて雪路を押しやすくしたショッピングカート。
【請求項２】
ショッピングカートの前輪の間に、もう１個の車輪を前輪よりも少し前に出る様に取り付け、この車輪を手元のレバーとこれに連なるワイヤー（自転車のブレーキ用のワイヤーを利用した）によって手前に引き付けてスキーを取り付けた前輪を浮かせ、したがってスキーを浮かせて雪路でないアスファルトの路も楽に押すことができるようにしたショッピングカート。
【手続補正２】
【補正対象書類名】明細書
【補正対象項目名】符号の説明
【補正方法】変更
【補正の内容】
【符号の説明】
１  新しく取り付けた車輪
２  車輪１を引き付けるレバー
３  レバー２と車輪１の取付金具４をつなぐワイヤー（自転車のブレーキ用ワイヤーを利用している）
４  車輪１の取付金具
５  子供用スキー
６  カートの前輪
７  椅子座布団
８  取付金具４を支える棒でカートの足１０に固定してある
９  レバー２に連なるワイヤー３を固定する板で棒８に固定してある
１０  カートの足
１１  スキーの取付部と車輪を固定するバンド


【手続補正３】
【補正対象書類名】図面
【補正対象項目名】全図
【補正方法】追加
【補正の内容】
【図１】
0003104876.tif 000007
【図２】
0003104876.tif 000008
【図３】
0003104876.tif 000009
【手続補正書】
【提出日】平成16年4月23日(2004.4.23)
【手続補正１】
【補正対象書類名】明細書
【補正対象項目名】全文
【補正方法】変更
【補正の内容】
【実用新案登録請求の範囲】
【請求項１】ショッピングカートの前輪の下に小型スキーを取り付けて雪路を押しやすくしたショッピングカート。
【請求項２】請求項１のショッピングカートの前輪の間に、もう１個の車輪を前輪よりも少し前に出るように取り付け、その車輪を引きつけるレバーを引くと、車輪が地面に引き寄せられ着地し、その分だけ前輪が浮き上がり雪路でないアスファルト面でも楽に押すことができるようにしたショッピングカート。
【考案の詳細な説明】
【０００１】
【考案が解決しようとする課題】
高齢者が雪のある冬の季節にショッピングカートで外出すると、車輪が雪や氷に邪魔されて、うまく押すことができない問題点があった。
【０００２】
【課題を解決するための手段】
ショッピングカートの前輪６の下に小型スキー５をバンドにより取り付けるが、このままでは途中で除雪してアスファルトが出ていたり、横断歩道を渡る時等アスファルトにスキー５がつまづいて進みにくいので、前輪６の間に車輪１を前輪６よりも少し前に出るように取り付け金具４によって取り付ける。この車輪１を引きつけるレバーは、自転車のブレーキ用のワイヤーを応用したものであり、そのワイヤーの外管は固定板９に固定し、管内のワイヤーは取り付け金具４に固定されているため、レバー２を引くと、車輪１は地面に引き寄せられ着地し、その分（２〜３ｃｍ）スキー６が浮き上がり容易に前進することができる。
【０００３】
【考案の効果】
冬期高齢者が一寸用事を足したり運動をしたりすることが容易になった。冬期以外には小型スキー５を外せばよい。
【０００４】
【図面の簡単な説明】
【図１】はスキー５と車輪１を取り付けたショッピングカートを正面から見た正面図。
【図２】は図１において破線の○で囲まれた部分の拡大図。
【図３】はショッピングカート全体の斜視図。
【符号の説明】
１．  新しく取り付けた車輪
２．  車輪１を引きつけるレバー
３．  レバー２と引付金具４をつなぐワイヤーの外管
４．  車輪１の取付金具
５．  小型スキー
６．  ショッピングカートの前輪
７．  椅子座布団
８．  車輪１と取付金具４を支える棒でショッピングカートの足１０に固定してある。
９．  ワイヤーの外管３を固定する板で８の捧に固定してある。
１０．  ショッピングカートの足
１１．  小型スキー５と前輪６を固定するバンド
１２．  ワイヤー
１３．  ワイヤーを保護するスプリング
１４．  ショッピングカート後輪のブレーキを動かすレバー
１５．  ショッピングカート後輪のブレーキ
１６．  ショッピングカート後輪のブレーキを動かすワイヤーの外管


【手続補正３】
【補正対象書類名】図面
【補正対象項目名】全図
【補正方法】変更
【補正の内容】
【図１】
0003104876.tif 000010
【図２】
0003104876.tif 000011
【図３】
0003104876.tif 000012